(57)【要約】【課題】優れた装着感のバンドと、小さな表示画面でも視認性の良い表示部と、を備えた生体情報測定機器を提供する。【解決手段】生体情報測定機器は、機器本体と、機器本体に接続部によって取り付けられているバンドと、を備え、機器本体とバンドとは、斜め継ぎで接続され、バンドが接続される機器本体、および接続部の端部には斜辺を有し、機器本体側の斜辺と、接続部側の斜辺と、を対向させて機器本体にバンドが接続されていることを特徴とする。【選択図】図１
2015073824.tif 000002
【特許請求の範囲】
【請求項１】
機器本体と、
前記機器本体に接続されているバンドと、を備え、
前記バンドが接続される前記機器本体、およびバンドの端部には斜辺を有し、
前記機器本体の前記斜辺と、前記バンドの前記斜辺と、を対向させて前記機器本体に前記バンドが接続されていることを特徴とする生体情報測定機器。
【請求項２】
前記機器本体と前記バンドとを接続する接続部を有することを特徴とする、請求項１に記載の生体情報測定機器。
【請求項３】
前記機器本体の前記斜辺と、前記バンドの前記斜辺との間に有底の溝部が設けられていることを特徴とする請求項１または請求項２に記載の生体情報測定機器。
【請求項４】
前記機器本体に電子回路が搭載されたモジュールが収容され、表裏を有するケースを備え、
前記ケースの表面には、金属を含む膜が設けられた領域を有し、前記膜と前記モジュールとが電気的に接続されていることを特徴とする請求項１ないし請求項３のいずれか一項に記載の生体情報測定機器。
【請求項５】
前記モジュールには、前記ケースの表面に前記機器本体に接続された前記バンドが延出する第１の方向と交差する第２の方向に延伸する上底および下底を備えた矩形状を有する窓部に嵌合されている第１表示部を備え、
前記第１表示部は、前記第２の方向に延伸する１組の対辺となる上底および下底を備えた平行四辺形状を有するカバー体によって覆われていることを特徴とする請求項４に記載の生体情報測定機器。
【請求項６】
前記カバー体は、前記対辺が、前記接続部側の前記斜辺と並んで配設され、かつ、前記窓部の上底および下底と鋭角を成して前記対辺が接することを特徴とする請求項４または請求項５に記載の生体情報測定機器。
【請求項７】
前記モジュールには、前記ケースの表面に有する穴部に勘合されている第２表示部を備え、前記第２表示部は、前記カバー体によって覆われていることを特徴とする請求項４ないし請求項６のいずれか一項に記載の生体情報測定機器。
【請求項８】
前記第２表示部は、前記窓部の前記下底と前記対辺とが鋭角を成して接する内角側の領域に設けられていることを特徴とする請求項７に記載の生体情報測定機器。
【請求項９】
前記モジュールには、制御部を有し、前記制御部には命令を与える操作部が接続され、
前記操作部は、前記窓部を垂直方向から平面視した場合における前記ケース部の３時側側面、かつ、前記対辺の延長線上に少なくとも１つ設けられていることを特徴とする請求項４ないし請求項８のいずれか一項に記載の生体情報測定機器。
【請求項１０】
前記モジュールには、前記制御部や前記第１表示部および第２表示部を駆動させる電池を有する電源部を備え、
前記制御部に蓄積されているデータを外部に出力する通信用の端子と、前記電池を充電する充電用の前記端子と、が前記モジュールに接続され、
前記端子は、前記窓部を垂直方向から平面視した場合における前記ケース部の９時側側面に配設されていることを特徴とする請求項４ないし請求項９のいずれか一項に記載の生体情報測定機器。
【請求項１１】
前記端子は、前記充電用および前記通信用、それぞれ２以上の前記端子で構成され、前記充電用端子の間隔と、前記通信用端子の間隔と、が異なることを特徴とする請求項１０に記載の生体情報測定機器。
【請求項１２】
前記端子は、前記通信用端子の外側に前記充電用端子が配設されていることを特徴とする請求項１０または請求項１１に記載の生体情報測定機器。
【請求項１３】
前記端子は、ステンレス鋼を含む材料が用いられていることを特徴とする請求項１０ないし請求項１２のいずれか一項に記載の生体情報測定機器。
【請求項１４】
前記端子の先端が前記ケースの表面に露出、もしくは前記ケースの表面から突出していることを特徴とする請求項１０ないし請求項１３のいずれか一項に記載の生体情報測定機器。
【請求項１５】
前記ケース部には、前記端子が外部の機器と接続される際に用いる位置決め穴を備え、
前記位置決め穴は、前記端子と同列に配設されていることを特徴とする請求項４ないし請求項１４のいずれか一項に記載の生体情報測定機器。
【発明の詳細な説明】
【技術分野】
【０００１】
本発明は、被検体に装着して生体情報を測定する生体情報測定機器に関する。
【背景技術】
【０００２】
従来、装着者の手首等に装着され、脈拍等の生体情報を測定する測定機器や、当該生体情報の測定機能を有する腕時計等の電子機器が知られている。このような電子機器では、装着者における手首等の適当な部位に、測定をおこなう機器本体を密着させる必要がある。このような測定機器や電子機器の本体に取り付けられ、伸縮可能なベルト部を備えたバンドが特許文献１に開示されている。
【０００３】
この特許文献１に記載されたバンドは、機器本体に取り付けられる第１バンド部材および第２バンド部材と、連結部材とを備える。各バンド部材は、バンド延出方向に沿って伸縮する伸縮部を備え、伸縮部は、可撓性を有し、幅方向に沿う一対のスリット、およびバンド延出方向に沿うスリットを有する第１スリットと、幅方向に沿って伸縮部の外部に連通する一対の第２スリットを有する。連結部材は、固定部材と、第１バンド部材のバンド延出方向に沿ってスライド可能なスライド部材と、スライド部材を当該バンド延出方向とは反対方向に付勢する付勢部材とを備え、スライド部材は、第２バンド部材と連結される連結部（突棒）を備える。
【０００４】
このような生体情報測定機器を被検体の手首に装着する際に、バンドには装着者の操作によって引張力が作用し、当該引張力により伸縮部が伸びた状態で装置本体が手首に装着される。そして、バンドから装着者が手を離すと、伸縮部に復元力が作用する。これにより、バンドが増し締めされることとなり、装着者による装置本体の手首への締め付け度合いにかかわらず、当該機器本体を手首に密着させることができる。
【先行技術文献】
【特許文献】
【０００５】
【特許文献１】特開２０１２−９０９７５号公報
【発明の概要】
【発明が解決しようとする課題】
【０００６】
しかしながら、上述した特許文献１に記載の生体情報測定機器に設けられたバンドは、当該生体情報測定機器に備えられた表示部の表示面に対して垂直方向から平面視した場合に、機器本体の幅と比べて細く、相対的に機器本体部分が大きく視認されることから、視覚的な圧迫感を装着者に与えるという課題があった。よって、視覚からの圧迫感により、測定対象の生体情報を長期間にわたって測定し続けることが難しい虞もあった。また、ベルト部と比べて機器本体の幅が広く、機器本体が大きいため、被検体が運動した際に作用する慣性力が大きくなることから、生体情報の測定に悪影響をおよぼす虞もあった。さらに、表示面を大きくすることで測定された生体情報の視認は容易であったが、表示面を構成する表示装置の消費電力が増加し、長時間測定の妨げとなる課題もあった。
【課題を解決するための手段】
【０００７】
本発明は、上述した課題の少なくとも一部を解決するためになされたものであり、以下の形態、または適用例として実現することが可能である。
【０００８】
［適用例１］
本適用例かかる生体情報測定機器は、機器本体と、機器本体に接続されているバンドと、を備え、バンドが接続される機器本体、およびバンドの端部には斜辺を有し、機器本体の斜辺と、バンドの斜辺と、を対向させて機器本体にバンドが接続されていることを特徴とする。
【０００９】
この様な生体情報測定機器によれば、機器本体およびバンドの端部に斜辺を有し、当該斜辺を対向させることで斜め継ぎにより、これら機器本体およびバンドを接続することができる。斜め継ぎで機器本体とバンドとが接続されるため、機器本体とバンド部の幅を連続的に変化させることができる。よって、機器本体とバンド部の視覚的な一体感を確保することができ、機器本体を小さく見せることができるので、長時間の着用による視覚的な圧迫感を抑制（緩和）することができる。また、生体情報測定機器の形状が連続的に滑らかに変化することで、たとえば被験体が機器本体を腕などに装着して活動しているときでも、衣類の袖に機器本体が引っ掛かることを抑制することができる。したがって、生体情報測定機器が装着された者の生体情報に影響を与えることを抑制し、長時間に渡る精度の高い生体情報を得ることができる。
【００１０】
［適用例２］
上記適用例に係る生体情報測定機器は、機器本体とバンドとを接続する接続部を有することが好ましい。
【００１１】
この様な生体情報測定機器によれば、接続部を介して機器本体とバンドとを接続することで、バンドを直接機器本体と接続する場合と比して強固に接続することができる。したがって、被検体の運動によって機器本体からバンドが離脱することを抑制することができる。
【００１２】
［適用例３］
上記適用例に係る生体情報測定機器は、機器本体の斜辺と、バンドの斜辺との間に有底の溝部が設けられていることが好ましい。
【００１３】
この様な生体情報測定機器によれば、機器本体と接続部との間に溝部が設けられていることで、生体情報測定機器が装着された者の運動によってバンド部が伸縮した際に、機器本体と接続部とが接触し、摩耗することを抑制することができる。また、溝部を設けることで、機器本体やバンドの製造時における交差ばらつきの許容量を、溝部が無い場合に比べてより広く設定することができるので、製造時の歩留まりを向上させることができる。
【００１４】
［適用例４］
上記適用例に係る生体情報測定機器は、機器本体に電子回路が搭載されたモジュールが収容され、表裏を有するケースを備え、ケースの表面には、金属を含む膜が設けられた領域を有し、膜とモジュールとが電気的に接続されていることが好ましい。
【００１５】
この様な生体情報測定機器によれば、ケースの表面に金属を含む膜が設けられ、その膜とモジュールとが接続されることで、膜を電子回路によって構成された通信部のアンテナとして用いることができる。ケース表面に膜が設けられていることでケース内部にアンテナを設ける場合と比して、安定した無線通信をおこなうことができる。また、ケース表面に膜が設けられていることで、ケースの強度を高めることができる。
【００１６】
［適用例５］
上記適用例に生体情報測定機器のモジュールには、ケースの表面に機器本体に接続されたバンドが延出する第１の方向と交差する第２の方向に延伸する上底および下底を備えた矩形状を有する窓部に嵌合されている第１表示部を備え、第１表示部は、第２の方向に延伸する１組の対辺となる上底および下底を備えた平行四辺形状を有するカバー体によって覆われていることが好ましい。
【００１７】
このような生体情報測定機器は、矩形状を有する窓部に嵌合されている第１表示部を平行四辺形状を有するカバー体で覆うことにより、第１表示部および窓部の各辺をカバー体の各辺で囲むことができる。平行四辺形状のカバー体の各辺に第１表示部および窓部が囲まれることで、機器本体を視認した際に第１表示部および窓部を大きく見せることができ、生体情報測定機器が装着された者に与える圧迫感を抑制することができる。また、機器本体と比して小さな第１表示部を大きく視認させることができる。したがって、被検体が生体情報測定機器を、大きなストレスを感じることなく装着することができ、より長い期間にわたって生体情報を測定することができる。被検体の生体情報を長期間に渡って測定しつづけることで、被検体は自身の状態をより正確に把握することが容易になる。
【００１８】
［適用例６］
上記適用例に係る生体情報測定機器のカバー体は、対辺が、接続部側の前記斜辺と並んで配設され、かつ、窓部の上底および下底と鋭角を成して対辺が接することが好ましい。
【００１９】
このような生体情報測定機器によれば、窓部の上底および下底と、カバー体の対辺と、が鋭角を成して接するため、上底と対辺、および下底と対辺が接する内角となる領域が生じる。この領域によって、機器本体を視認した際に第１表示部および窓部を大きく見せることができ、生体情報測定機器が装着された者に与える圧迫感を抑制することができる。
したがって、被検体が生体情報測定機器大きなストレスを感じることなく装着することができ、より長い期間にわたって生体情報を測定することができる。被検体の生体情報を長期間に渡って測定しつづけることで、被検体は自身の状態をより正確に把握することが容易になる。
【００２０】
［適用例７］
上記適用例に係る生体情報測定機器のモジュールには、ケースの表面に有する穴部に勘合されている第２表示部を備え、第２表示部は、カバー体によって覆われていることが好ましい。
【００２１】
このような生体情報測定機器によれば、生体情報測定機器で得られた各種情報や動作状態を異なった表示方法で、第１表示部と第２表示部とに表示することができる。また、互いに関連する異なる情報を同時に表示することができる。したがって、小型の生体情報測定機器でも必要な情報を提供できるため利便性を高めることができる。
【００２２】
［適用例８］
上記適用例に係る生体情報測定機器の第２表示部は、窓部の下底と対辺とが鋭角を成して接する内角側の領域に設けられていることが好ましい。
【００２３】
このような生体情報測定機器によれば、窓部の下底と、カバー体の対辺と、が鋭角を成して接する内角側の領域に、第２表示部が設けられている。よって、複数の表示方法を用いて生体情報機器で得られた各種情報や動作状態を表示するとともに、機器本体の表面積を抑制することができる。
【００２４】
［適用例９］
上記適用例に係る生体情報測定機器のモジュールには、制御部を有し、制御部には命令を与える操作部が接続されている。操作部は、窓部を垂直方向から平面視した場合におけるケース部の３時側側面、かつ、対辺の延長線上に少なくとも１つ設けられていることが好ましい。
【００２５】
このような生体情報測定機器によれば、制御部に接続されている操作部は、カバー体の対辺の延長線上でケース部を平面視した場合における３時側側面に設けられている。よって、生体情報測定機器が装着された者が当該機器を操作する際に、カバー体の対辺を視認することで直感的に操作部に触れることができ、操作性を高めることができる。
【００２６】
［適用例１０］
上記適用例に係る生体情報測定機器のモジュールには、制御部や第１表示部および第２表示部を駆動させる電池を有する電源部を備え、制御部に蓄積されているデータを外部に出力する通信用の端子と、電池を充電する充電用の端子と、がモジュール部に接続され、端子は、窓部を垂直方向から平面視した場合におけるケース部の９時側側面に配設されていることが好ましい。
【００２７】
このような生体情報測定機器は、ケース部を平面視した場合におけるケース部の９時側側面に充電用、および通信用の端子が配設されている。よって、３時側側面に設けられている操作部を操作する際に、これら端子に触れることを抑制することができる。したがって、充電用および通信用の端子の汚れを防止し、充電および通信の信頼性を高めることができる。
【００２８】
［適用例１１］
上記適用例に係る生体情報測定機器は、端子は、充電用および通信用、それぞれ２以上の端子で構成され、充電用端子の間隔と、通信用端子の間隔と、が異なることが好ましい。
【００２９】
このような生体情報測定機器は、充電用および通信用の端子が、それぞれ２以上の端子で構成され、充電用の端子と、通信用の端子と、の配設間隔が異なっている。よって、充電用の端子の配設間隔を広げることで短絡を防止し、通信用の端子の配設間隔を狭めることで配設密度を高めることができる。したがって、生体情報測定機器の信頼性を高めるとともに、生体情報測定機器の小型化を成し得ることができる。
【００３０】
［適用例１２］
上記適用例に係る生体情報測定機器の端子は、通信用端子の外側に充電用端子が配設されていることが好ましい。
【００３１】
このような生体情報測定機器によれば、通信用端子の外側に充電用端子が配設されているため、充電用端子間の短絡をさらに抑制することができる。したがって、より生体情報測定機器の信頼性を高めることができる。
【００３２】
［適用例１３］
上記適用例に係る生体情報測定機器の端子は、ステンレス鋼を含む材料が用いられていることが好ましい。
【００３３】
このような生体情報測定機器によれば、ステンレス鋼を含む材料を端子に用いている。したがって、生体情報測定機器が装着された被検体の汗などによって端子が腐食することを防止することができる。また、端子が汚れた際の清掃を容易におこなうことができる。
【００３４】
［適用例１４］
上記適用例に係る生体情報測定機器の端子の先端がケースの側面に露出、もしくはケースの側面から突出していることが好ましい。
【００３５】
このような生体情報測定機器によれば、端子は、ケースの側面に露出、もしくは突出していることで、端子に汚れが付着することを防止するとともに、汚れを容易に清掃することができる。
【００３６】
［適用例１５］
上記適用例に係る生体情報測定機器のケース部には、端子が外部の機器と接続される際に用いる位置決め穴を備え、位置決め穴は、端子と同列に配設されていることが好ましい。
【００３７】
このような生体情報測定機器によれば、ケース部に設けられた端子と同列に、外部の機器と接続される際に用いる位置決め穴が設けられている。したがって、位置決め穴を用いることで生体情報測定機器と外部の機器とを容易に接続することができる。
【図面の簡単な説明】
【００３８】
【図１】実施形態に係る生体情報測定機器の外観を概略的に示す上面図。
【図２】実施形態に係る生体情報測定機器の外観を概略的に示す斜視図。
【図３】実施形態に係る生体情報測定機器の構造を概略的に示す展開図。
【図４】生体情報測定機器の本体部分の構造を概略的に示す拡大図。
【図５】生体情報測定機器の本体部分の９時側側面を概略的に示す側面図。
【図６】第１バンド部を概略的に示す平面図および断面図。
【図７】第２バンド部を概略的に示す平面図および断面図。
【発明を実施するための形態】
【００３９】
以下、本発明の実施形態について図面を用いて説明する。なお、以下に示す各図においては、各構成要素を図面上で認識され得る程度の大きさとするため、各構成要素の寸法や比率を実際の構成要素とは適宜に異ならせて記載する場合がある。
【００４０】
本実施形態に係る生体情報測定機器について、図１ないし図７を用いて説明する。
図１は、本実施形態に係る生体情報測定機器の外観を概略的に示す上面図である。図２は、生体情報測定機器の外観を概略的に示す斜視図である。図３は、生体情報測定機器の構造を概略的に示す展開図である。図４は、生体情報測定機器の本体部分の構造を概略的に示す拡大図である。図５は、生体情報測定機器の本体部分の９時側側面を概略的に示す側面図、および端子部分を拡大した拡大図である。図６は、機器本体に接続される第１バンド部を概略的に示す平面図および断面図である。図７は、機器本体に接続される第２バンド部を概略的に示す平面図および断面図である。
【００４１】
［生体情報測定機器１の概略構成］
本実施形態に係る生体情報測定機器１（以下、単に「測定機器１」と称する。）は、生体情報を測定される被検体（例えば人体）の手首等に装着され、脈拍等の生体情報を測定する電子機器である。測定機器１は、図１および図２に示すように腕時計と類似する外観に形成されている。測定機器１は、被検体に密着させて生体情報を測定する機器本体２と、当該機器本体２に取り付けられるバンド３と、を備えている。
【００４２】
［機器本体２の構成］
図２および図３に示す様に測定機器１の機器本体２には、モジュール２０と、当該モジュール２０が収容されているケース部２００と、を備える。モジュール２０には、表示部２２０と、処理部２４０と、電源部２６０と、センサー部２８０と、を備えている。
さらに、表示部２２０には、第１表示部２２２と第２表示部２２３を備えている。また、機器本体２には、処理部２４０に接続されている操作部２５０と、通信端子２６６と、を備えている。さらに、機器本体２には、電源部２６０に接続されている充電端子２６４を備えている。
【００４３】
ケース部２００は、その蓋部２１０側にモジュール２０が収容される凹部２００ｂが形成されている。凹部２００ｂには、モジュール２０が収納され、蓋部２１０が凹部２００ｂを覆うようにして、止めねじ２１１により固定されている。ケース部２００および蓋部２１０は、その材料は特に限定されない。本実施形態では、その一例としてクラックの発生し難いナイロン系の合成樹脂（プラスチック樹脂）が用いられている。
【００４４】
図２および図３に示すようにケース部２００には、蓋部２１０が設けられた側とは反対側に表示窓２００ａが設けられている。表示窓２００ａは、表示部２２０に表示される脈拍測定データなどを視認可能に構成されている。
【００４５】
表示窓２００ａには、第１表示部２２２に対応する第１表示窓２２２ａと、第２表示部２２３に対応する第２表示窓２２３ａと、を備える。第１表示窓２２２ａには、第１表示部２２２が嵌め込まれている（図１および図２参照）。また、第２表示窓２２３ａには、第２表示部２２３が嵌め込まれている（図１および図２参照）。
【００４６】
図４に示すように表示窓２００ａは、機器本体２からバンド３が延出する方向（第１の方向で図１ないし図３に示すＹ方向）と交差する方向（第２の方向で図１ないし図３に示すＸ方向）に延伸する斜辺となる上底（上辺）２００ｅおよび下底（下辺）２００ｆを１組の対辺とする平行四辺形状を有する。
第１表示部２２２が嵌め込まれた第１表示窓２２２ａは、機器本体２からバンド３が延出する第１の方向と交差する第２の方向に延伸する上底（上辺）２２２ｅおよび下底（下辺）２２２ｆを備えた矩形状を有する。
第２表示部２２３が嵌め込まれた第２表示窓２２３ａは、機器本体２からバンド３が延出する第１の方向に延伸する平行線を備えた角丸長方形状を有する。
【００４７】
ここで表示窓２００ａは、表示窓２００ａの上底２００ｅと、第１表示窓２２２ａの上底２２２ｅと、が鋭角を成して接するように配設されている。また、表示窓２００ａは、表示窓２００ａの下底２００ｆと、第１表示窓２２２ａの下底２２２ｆと、が鋭角を成して接するように配設されている。
第２表示窓２２３ａは、表示窓２００ａの下底２００ｆと第１表示窓２２２ａの下底２２２ｆが鋭角を成して接する内角となる領域に配設されている。
【００４８】
内角となる領域に第２表示部２２３および第２表示窓２２３ａを設けることで、測定機器１の動作状態などを複数の方法で表示することができる。また、機器本体２の表面積を抑制しつつ、機器本体２を視認した際に第１表示部２２２（第１表示窓２２２ａ）を大きく見せることができる。よって、測定機器１が装着された者に与える圧迫感を抑制することができる。
【００４９】
また、表示窓２００ａには、透明樹脂や透明ガラスなどから形成された表示部カバー体２０２が嵌め込まれ、この表示部カバー体２０２により表示部２２０が保護されている。表示部カバー体２０２は、表示窓２００ａに則して平行四辺形状に形成されている。表示部カバー体２０２は、第１の方向に配設された斜辺となる上底２０２ｅおよび下底２０２ｆを一組の対辺とした平行四辺形状を有する。
【００５０】
図１ないし図４に示す様にケース部２００には、表示窓２００ａに沿って枠部２０５が設けられている。
枠部２０５は、機器本体２からバンド３が延出する第１の方向と交差する第２の方向で、図１ないし図４に示すＸ１方向（第１バンド部３０が延出する方向を時計で言う１２時方向としたときの３時側方向）に枠部２０５Ｒと、Ｘ２方向（第２バンド部４０が延出する方向を時計で言う６時方向としたときの９時側方向）に枠部２０５Ｌとが設けられている。
枠部２０５は、その下底が表示窓２００ａ（表示部カバー体２０２）と接して配設され、脚となる辺が第２の方向に延設された等脚台形状を有する。また、枠部２０５の下底となる辺は、表示窓２００ａの上底２００ｅおよび下底２００ｆとが対となる１組の対辺とは異なる、第１の方向に延伸する１組の対辺よりも長く設けられている。
【００５１】
枠部２０５Ｌは、図１ないし図４に示すＹ２方向に配設されている脚となる辺が、表示窓２００ａの下底２００ｆの延伸線上に設けられている。よって、枠部２０５Ｌは、図１ないし図４に示すＹ１方向に設けられている脚となる辺が、表示窓２００ａの上底２００ｅの延伸線上よりもＹ１側に設けられている。
枠部２０５Ｒは、図１ないし図４に示すＹ１方向に設けられている脚となる辺が、表示窓２００ａの上底２００ｅの延伸線上に設けられている。よって、枠部２０５Ｒは、Ｙ２方向に設けられている脚となる辺が、表示窓２００ａの下底２００ｆの延伸線上よりもＹ２側に設けられている。
【００５２】
枠部２０５には、表示窓２００ａが設けられているケース部２００の表側に金属を含む膜２０５ａが設けられている。膜２０５ａは、後述する処理部２４０と電気的に接続されている。膜２０５ａは、測定機器１の外部に設けられた情報処理機器（不図示）と無線通信を行う際のアンテナとして用いることができる。また、膜２０５ａは、後述する操作部２５０として、いわゆるタッチセンサーとして用いることができる。さらに、膜２０５ａが設けられることで、ケース部２００の強度を高めるとともに、ケース部２００の肉厚を薄くすることができる。したがって、ケース部２００の軽量化を図ることができる。
膜２０５ａを構成する材料は、アンテナとしての性能を発揮できる材料、もしくは静電容量の変化を検知することができる材料であれれば特に限定されることはない。本実施形態の測定機器１においては、ニッケル（Ｎｉ）を含む材料を用いている。膜２０５ａにニッケルを用いることで、アンテナとしての性能、ケース部２００の強度、およびタッチスイッチとしての性能を確保するとともに、ニッケルの有する光沢色によって測定機器１の意匠性を高めることができる。なお、本実施形態の測定機器１においては、アンテナとしての性能、ケース部２００の強度、および意匠性を高めるため、枠部２０５の側面にも膜２０５ａが設けられている。
【００５３】
図３に示すようにケース部２００に収容されたモジュール２０には、表示部２２０が設けられている。表示部２２０には、第１表示部２２２と第２表示部２２３とが設けられている。
第１表示部２２２には、各表示モードに応じて脈拍数などの生体情報や、現在時刻などの時刻情報などが表示される。また、第１表示部２２２には、バックライト２２４が設けられ、第１表示部２２２を照らすことができる。
第１表示部２２２は、脈拍等の生体情報（主に数字や、ドットマトリックスで構成されるグラフ）を表示することができれば、表示方式は限定されない。測定機器１においては、その一例として液晶表示装置を用いている。また、バックライト２２４は、第１表示部２２２に表示される生体情報を視認できる程度に照明できれば、発光方法や発光色は限定されない。測定機器１においては、緑色に発光するＥＬ（Electro-Luminescence）パネルを用いて第１表示部２２２の照明をおこなっている。
【００５４】
第２表示部２２３には、測定機器１の各動作モード等が第２表示部２２３の発光色や明滅によって表示される。第２表示部２２３は、その明滅や表示色によって各動作モードを表示することができれば表示方式は限定されない。測定機器１においては、その一例として発光ダイオードを用いている。
【００５５】
図３に示す様にケース部２００に収容されたモジュール２０には、処理部２４０が設けられている。
処理部２４０は、マイコン等の半導体装置や記憶装置、通信機能を実現する電子回路等で構成された基板である。処理部２４０には、表示部２２０、操作部２５０、電源部２６０、センサー部２８０、および枠部２０５に設けられている膜２０５ａが接続されている。処理部２４０は、センサー部２８０の駆動や、センサー部２８０で検出された脈拍に基づく信号を処理し、表示部２２０における生体情報等の表示処理をおこなう。
また、生体情報の蓄積をおこない、測定機器１の外部に設けられた情報処理装置との間で通信をおこない蓄積されたデータを出力することができる。
【００５６】
図３に示す様にケース部２００に収容されたモジュール２０には、処理部２４０に命令を与える操作部２５０が設けられている。
操作部２５０は、押下可能な操作ボタン２５２が設けられている。操作ボタン２５２を押下することで、例えば脈拍測定データを表示する脈拍測定モード、現在時刻などを表示する時計モード、電池残量の表示モード、表示部２２０のバックライト２２４点灯モード等の切り替えをおこなうことができる。
【００５７】
操作部２５０は、機器本体２からバンド３が延出する第１の方向と交差する第２の方向で、図１ないし図４に示すＸ１方向（３時側方向）のケース部２００の側面に設けられている。操作部２５０は、操作ボタン２５２を複数備えることができる。操作部２５０は、少なくとも１つの操作ボタン２５２が表示窓２００ａの上底２００ｅの延伸線上に設けられていることが好ましい。これにより被検体が表示窓２００ａの上底２００ｅを視認することで、操作ボタン２５２が設けられている位置を容易に把握することができ、誤操作を防止することができる。
また、複数の操作ボタン２５２を設け、ほぼ同時に押下することで測定機器１の設定をおこなう設定モードへの切り替えをおこなうことができる。本実施形態の測定機器１には、その一例として、測定機器１には二つの操作ボタン２５２ａ，２５２ｂが設けられている。被検体による操作部２５０の操作は、人差し指で操作ボタン２５２ａを押下し、押下に伴う力をケース部２００に親指を添えることで操作することができる。
また、薬指で操作ボタン２５２ｂを押下し、押下に伴う力をケース部２００に親指を添えることで操作することができる。したがって、操作ボタン２５２ａ，２５２ｂを設ける間隔は、操作する指（例えば親指と人差し指、親指と薬指）が届く範囲で、操作する指が重ならない間隔が好ましい。
【００５８】
図５に示す様にケース部２００には、測定機器１の電源となる電源部２６０に搭載された電池２６２の充電に用いる充電端子２６４が設けられている。さらに、ケース部２００には、測定機器１で測定および蓄積された生体情報（データ）、および測定（計測）設定データ等のデータ通信に用いられる通信端子２６６が設けられている。
充電端子２６４および通信端子２６６は、機器本体２からバンド３が延出する第１の方向と交差する第２の方向で、図１および図２に示すＸ２方向（９時側方向）のケース部２００の側面に設けられている。充電端子２６４および通信端子２６６は、その機能を発揮するため一つまたは複数設けられている。本実施形態の測定機器１は、その一例として、それぞれ２つの充電端子２６４、および２つの通信端子２６６が設けられている。
【００５９】
充電端子２６４および通信端子２６６は、充電端子２６４の間に通信端子２６６が配設されている。換言すると、通信端子２６６の外側（図５（ｂ）に示すＹ方向）に充電端子２６４が配設されている。さらに、充電端子２６４の外側（通信端子２６６が設けられている方向と反対方向のＹ方向）に充電端子２６４および通信端子２６６と接続されるコネクター（不図示）の位置決め穴２６８が設けられている。なお、充電端子２６４および通信端子２６６は、ケース部２００の側面から突出する様に設けられている。また、位置決め穴２６８は、ケース部２００の側面に有底の穴として設けられている。
【００６０】
図５（ｂ）に示す様に、充電端子２６４および通信端子２６６間の間隔ｄ１は、通信端子２６６間の間隔ｄ２と比して広い。これにより、充電端子２６４間、および充電端子２６４と通信端子２６６との間の短絡を抑制することができる。
【００６１】
充電端子２６４および通信端子２６６は、導電性を有する材料を用いることができる。本実施形態の測定機器１は、その一例として、ステンレス鋼を充電端子２６４および通信端子２６６の材料として用いている。これにより、充電端子２６４および通信端子２６６は耐蝕性を備えることができる。また、充電端子２６４および通信端子２６６は、ケース部２００から突出して設けられている（凸レンズ状の凸局面を有する）ため、容易に清掃することができ、充電端子２６４および通信端子２６６の腐食を抑制するとともに、導電性を保つことができる。また、充電端子２６４および通信端子２６６は、操作部２５０が設けられている側面と異なる側面に設けられているため、操作ボタン２５２ａ，２５２ｂを操作する指が触れることを抑制し、皮脂などによる汚れを防ぐことができる。さらに、充電端子２６４および通信端子２６６は、耐蝕性の導電材料、たとえば金などで表面をメッキすることで、耐蝕性をさらに向上させることができる。
【００６２】
図３に戻り、センサー部２８０について説明する。
図３に示す様にケース部２００に収容されたモジュール２０には、センサーユニット２８２を備えたセンサー部２８０が設けられている。センサーユニット２８２は、光センサーであって、センサーケースと、発光素子および受光素子が実装されたセンサー基板と、を備えている。センサーユニット２８２は、ＬＥＤ（Ｌｉｇｈｔ  Ｅｍｉｔｔｉｎｇ  Ｄｉｏｄｅ）などの発光素子から被検体の手首に向けて光を照射し、手首の血管で反射された光をフォトダイオードなどの受光素子で受光する。
【００６３】
蓋部２１０には、センサー部２８０が収容されているセンサー土手部２１２が設けられている。蓋部２１０から表示部２２０の表示方向と反対方向に隆起した円盤形状を有するセンサー土手部２１２に、センサー部２８０の少なくとも一部が設けられている。センサー土手部２１２は、センサー凸部２１４を備える（図２（ｂ）参照）。
センサー凸部２１４は、測定機器１を装着した被検体の手首などに押圧（接触）される様に設けられている。センサー凸部２１４は、蓋部２１０から延出されている基部２１４ａと、被検体に押圧される先端部２１４ｂと、を備える。
【００６４】
このことから、センサー凸部２１４の基部２１４ａは、遮光性を有する材料で構成されていることが好ましい。また、先端部２１４ｂは、発光素子から射出される光を透過させることができる材料で構成されることが好ましい。また、先端部２１４ｂは、当該光の乱反射を抑制し、装着時に被検体が痛みを感じない形状が好ましい。
そこで、基部２１４ａは、蓋部２１０と同じ合成樹脂を用い、遮光性の着色を付して設けられている。また、先端部２１４ｂは、透明のガラスや透明のアクリル樹脂を用い、弧形状を有し設けられている。
【００６５】
［バンド３の構成］
図１ないし図３、および図６を用いてバンド３の構成について説明する。
バンド３は、機器本体２を被検体に装着するために設けられている。バンド３は、図１および図２に示す様に機器本体２の両端に設けられている。バンド３を構成する第１バンド部３０は、図３に示す様に機器本体２のラグ２０３（第１の方向として時計で言えば１２時側のラグ）に取付部材３２によって取り付けられている。また、バンド３を構成する第２バンド部４０は、機器本体２のラグ２０４（第１の方向として時計で言えば６時側のラグ）に取付部材４２によって取り付けられている。
【００６６】
第１バンド部３０には、当該第１バンド部３０と第２バンド部４０とを連結する連結部３１０が設けられている。連結部３１０は、機器本体２側とは反対側の第１バンド部３０の端部に設けられている。また、第２バンド部４０には、当該第２バンド部４０を第１バンド部３０に係止するフック部４１０が設けられている。フック部４１０は、機器本体２側とは反対側の第１バンド部３０の端部に設けられている。
【００６７】
以下の説明では、第１バンド部３０においては、機器本体２側を「一端側」とし、その反対側で連結部３１０が設けられた側を「他端側」として説明する。同様に、第２バンド部４０においては、機器本体２側を「一端側」とし、その反対でフック部４１０が設けられた側を「他端側」として説明する。
【００６８】
［第１バンド部の構成］
図３および図６に示す第１バンド部３０は、ベルト部３４と、当該ベルト部３４の一端側（機器本体２側で図３および図６（ａ）に示すＹ２方向）に設けられた第１接続部（接続部）としてのカバー部３２０と、他端側（機器本体２の反対側で図３および図４（ａ）に示すＹ１方向）に連結部３１０と、を有する。
ベルト部３４は表裏面を有する。以下の説明において、被検体に装着された際に手首と当接する面をベルト部３４の裏面３４ｂと称し、その反対面であり装着された際に視認できる面をベルト部３４の表面３４ａと称し、説明する。
【００６９】
（機器本体２への取り付け）
第１バンド部３０は、ラグ２０３とカバー部３２０との間に取付部材３２を挟み、カバー部３２０がラグ２０３を覆う様に機器本体２に取り付けられている。
カバー部３２０とラグ２０３とは、取付部材３２に設けられている穴３２ｈと、ラグ２０３に設けられている「かん穴２０３ｈ」とに「ばね棒（不図示）」が挿通され、ばね棒の両端がカバー部３２０に設けられた係止穴３２０ｈに係止されることで軸支されている。
第１バンド部３０は、後述する伸縮性を有するベルト部３４と機器本体２とが直接接続されるとその接続強度が低下するおそれがある。そこで、第１バンド部３０は、カバー部３２０を介して機器本体２に取り付けられる（接続される）ことで、ベルト部３４と機器本体２とを直接接続する場合と比べて強固に接続することができる。
ここで、機器本体２と第１バンド部３０との接続は、機器本体２の斜辺となる表示部カバー体２０２の上底２０２ｅ（表示窓２００ａの上底２００ｅ）と、接続部としてのカバー部３２０および取付部材３２の斜辺となる端部３２０ｅ，３２ｅと、を対面させた斜め継ぎ（図１参照）で接続されている。
取付部材３２およびカバー部３２０は、ケース部２００に設けられている表示窓２００ａの上底２００ｅに沿って形成されている。また、測定機器１には、第１バンド部３０（端部３２０ｅ，３２ｅ）と機器本体２（上底２００ｅ）との間に有底の溝２９０を有する。溝２９０が設けられていることで、後述するベルト部３４が伸縮した際に、ケース部２００と取付部材３２およびカバー部３２０が接触し、摩耗することを抑制することができる。また、ケース部２００と取付部材３２およびカバー部３２０が接触し、第１バンド部３０が脱離することを抑制することができる。
【００７０】
（ベルト部３４）
図６（ａ）および図６（ｂ）に示すベルト部３４は、機器本体２を被検体の手首等に密着して装着するため伸縮性を有する。ベルト部３４は、ポリウレタン樹脂またはシリコーン樹脂を含む材料を用いることで、その材料の特性によって、伸縮性および可撓性を有している。
ベルト部３４は、第１バンド部３０が機器本体２から延出する方向（第１の方向で図４（ａ）に示すＹ１方向）と交差する方向（第２の方向で図６（ａ）に示すＸ方向）の断面（図６（ａ）に示す線分Ｅ−Ｅ’における断面）において、幅３０Ｗ方向の中央部分の厚み（図６（ｂ）に示すＺ方向）が増して設けられている。ベルト部３４は、幅３０Ｗ方向、つまりＺ１方向における中央部分の厚みが増して設けられていることで、伸縮時の強度および屈曲時の強度を確保している。
【００７１】
ベルト部３４には、第２バンド部４０に設けられたフック部４１０が係止される穴部３３０が設けられている。穴部３３０は、幅３０Ｗ方向（第２の方向で図６に示すＸ方向）に並列に、かつベルト部３４が延伸する方向（第１の方向で図６に示すＹ方向）に行を成し整列して設けられている。穴部３３０の行間隔は、ほぼ一定となるように配設しても良いし、他端から機器本体２の方向、つまりＹ２方向に進むにつれて、行間隔が短くなるように配設してもよい。換言すれば、Ｙ１方向側の穴部３３０の最終行とその隣接する行との間隔（第１のピッチ）に比べ、Ｙ２方向の最終行とその隣接する行との間隔（第２のピッチ）の方が狭くなるように配設されている。このように構成することで、測定機器１の装着部位が細い人に対しても、細かく締め付けを調節することができるので、適切な強さで測定装置を固定できるように設定しやすくなる。
【００７２】
穴部３３０は図６（ｂ）に示すように、ベルト部表面３４ａ側に設けられた穴３３１と、ベルト部裏面３４ｂ側に設けられた穴３３２が同軸に設けられている。
穴部３３０は、ベルト部３４の幅３０Ｗ方向（Ｘ方向）を長軸（長径）とし、直交する機器本体２から第１バンド部３０が延出する方向（Ｙ方向）を短軸（短径）とする楕円形状を有する。穴部３３０の長軸、および当該長軸と直交する短軸は、穴３３１と比して穴３３２の方が長く（大きく）設けられている。
【００７３】
（連結部３１０）
連結部３１０は、ベルト部３４の他端側（図６（ａ）に示すＹ１方向）に設けられている。
ベルト部３４の他端側には、穴部３３０が設けられている部分と比してベルト部３４の厚みを増した肉厚部３４５を有している。連結部３１０は、当該ベルト部３４の厚みを増した肉厚部３４５に設けられている。連結部３１０には、第２バンド部４０を挿通する挿通穴３１２と、第２バンド部４０に設けられている穴部４３０（図７参照）に挿通される突棒３１２が設けられている。
【００７４】
連結部３１０においてバンド挿通穴３１２は、機器本体２から第１バンド部３０が延出する方向（図６（ａ）に示すＹ１方向）と交差する方向（図６（ａ）に示すＹ２方向）の幅３１２Ｗは、第２バンド部４０の幅４０Ｗ（図７参照）より広く設けられている。
より詳しくは、後述する突棒３１２が係止される係止穴３１２ｈが設けられた一辺側（図６（ａ）に示すＹ２側）の幅より、後述する凹部３１２ｃが設けられている一辺側（図６（ａ）に示すＹ１側）の幅が広く設けられている。
バンド挿通穴３１２は、Ｙ１側の幅が広く設けられていることで第２バンド部４０を容易に挿通することができる。また、第２バンド部４０を幅が広く設けられているＹ１側のバンド挿通穴３１２の縁に接触させてＹ２側に引っぱり、第２バンド部４０を伸長することで機器本体２の手首への密着性を高め、第２バンド部４０（ベルト部４４）の復元力による締め付けを調整することができる。
【００７５】
突棒３１４は、バンド挿通穴３１２の内縁でＹ２側の一辺に設けられている係止穴３１２ｈと、当該突棒３１４に設けられている穴（不図示）と、を挿通する「ばね棒（不図示）」によってベルト部３４に軸支されている。突棒３１４は、バンド挿通穴３１２の内縁でＹ１側の一辺に設けられている凹部３１２ｃに、その一部が嵌合されることでベルト部３４に係止されている。
突棒３１４は、バンド挿通穴３１２の内縁でＹ２側の一辺側から２つの棒部３１４１，３１４２がＹ１方向に延設されている。また、突棒３１４は、棒部３１４１，３１４２が延伸するＹ１方向と交差するベルト部３４の幅３０Ｗ方向（図６（ａ）に示すＸ方向）に連絡棒３１４３が設けられている。突棒３１４を構成する棒部３１４１，３１４２の断面形状は、扁平形を有する。突棒３１４は扁平形を有することで、穴部４３０に挿通された際の接触面積を大きくすることができ、穴部４３０が伸長されることを抑制するとともに、本実施形態のバンド３によって被検体に装着された測定機器１のズレを抑制することができる。
【００７６】
突棒３１４を構成する材料は特に限定されることなく、ベルト部３４，４４の復元力に耐えうる材料であれば良い。本実施形態において突棒３１４は、その一例としてステンレス鋼が用いられている。突棒３１２は、ステンレス鋼を用いることでベルト部３４，４４の復元力に対する靱性、および耐蝕性を備えることができる。また、突棒３１４は、棒部３１４１，３１４２が延伸する方向（Ｙ方向）に沿ってヘアライン加工が施されている。ヘアライン加工を施すことで、突棒３１４の視認性を高め、穴部４３０への挿入を補助することができる。
【００７７】
本実施形態のバンド３は、バンド挿通穴３１２に第２バンド部４０が挿通され、突棒３１４が第２バンド部４０に設けられている穴部４３０に挿通されることで、第１バンド部３０と第２バンド部４０とが連結される。
ここで、バンド３は、被検体の生体情報を測定するために、機器本体２を被検体に密着させ、その装着位置がずれないことが求められる。
そのため、第２バンド部４０には穴部４３０が並列に設けられ、突棒３１４が挿通されることで装着位置のズレを抑制している（図７参照）。連結部３１０は、穴部４３０に対応して突棒３１４を構成する棒部３１４１，３１４２が並列に設けられ、その間隔を連絡棒３１４３で保っている。これにより、突棒３１２はＨ形状を有し、棒部３１４１，３１４２の間隔を連絡棒３１４３によって保ちつつ、並列に設けられた穴部４３０に突棒３１２を容易に挿通することができる。
【００７８】
（カバー部３２０）
第１接続部としてのカバー部３２０は、ベルト部３４の一端側（図６（ａ）に示すＹ２方向）に設けられている。カバー部３２０には、係止穴３２０ｈが設けられている。
カバー部３２０は、取付部材３２を介して第１バンド部３０を機器本体２に接続するために設けられている。カバー部３２０の幅３２０Ｗと、機器本体２の幅２Ｗと、は略等しい幅を有している（図１参照）。
より詳しくは、機器本体２から第１バンド部３０が延出する方向（図１ないし図６に示すＹ１方向）と交差する方向（図１ないし図３、または図６に示すＸ方向）において、カバー部３２０の幅３２０Ｗと、機器本体２の幅２Ｗと、が略等しい幅を有している。また、カバー部３２０は、平行四辺形状に形成されている表示窓２００ａの上底２００ｅに沿って斜辺となる端部３２０ｅを備えた形状に形成されている（図３参照）。これにより、機器本体２と第１バンド部３０とが視覚的に一体に形成されているように視認することができ、装着による圧迫感を緩和することができる。また、幅方向（Ｘ方向）において第１バンド部３０から機器本体２が突出していないため、装着時に被検体の衣服が機器本体２に引っかかることを抑制することができる。
【００７９】
［第２バンド部の構成］
図３および図７に示す第２バンド部４０は、ベルト部４４と、当該ベルト部４４の一端側（機器本体２側で図３および図７（ａ）に示すＹ１方向）に設けられた第２接続部（接続部）としてのカバー部４２０と、他端側（機器本体２の反対側で図３および図７（ａ）に示すＹ２方向）にフック部４１０と、を有する。なお、図７（ａ）においては、フック部４１０が設けられる凹部４１０ｃおよび穴部４４０の図示を簡略化している。
ベルト部４４は表裏面を有し、以下の説明において、被検体に装着された際に手首と当接する面をベルト部４４の裏面４４ｂと称し、その反対面で装着された際に視認できる面をベルト部４４の表面４４ａと称し、説明する。
【００８０】
（機器本体２への取り付け）
第２バンド部４０は、ラグ２０４とカバー部３２０との間に取付部材４２を挟み、カバー部４２０がラグ２０４を覆う様に機器本体２に取り付けられている。
カバー部４２０とラグ２０４とは、取付部材４２に設けられている穴４２ｈと、ラグ２０４に設けられている「かん穴２０４ｈ」とに「ばね棒（不図示）」が挿通され、ばね棒の両端がカバー部４２０に設けられた係止穴４２０ｈに係止されることで軸支されている。
第２バンド部４０は、後述する伸縮性を有するベルト部４４と機器本体２とが直接接続されるとその接続強度が低下するおそれがある。そこで、第２バンド部４０は、カバー部４２０を介して機器本体２に取り付けられる（接続される）ことで、ベルト部４４と機器本体２とを直接接続する場合と比べて強固に接続することができる。
ここで、機器本体２と第２バンド部４０との接続は、機器本体２の斜辺となる表示部カバー体２０２の下底２０２ｆ（表示窓２００ａの下底２００ｆ）と、接続部としてのカバー部４２０および取付部材４２の斜辺となる端部４２０ｆ，４２ｆとを対面させた斜め継ぎ（図１参照）で接続されている。
取付部材４２およびカバー部４２０は、ケース部２００に設けられている表示窓２００ａの下底２００ｆに沿って形成されている。また、測定機器１には、第２バンド部４０（端部４２０ｆ，４２ｆ）と機器本体２（下底２００ｆ）との間に有底の溝２９０が設けられている。溝２９０が設けられていることで、後述するベルト部４４が伸縮した際に、ケース部２００と取付部材４２およびカバー部４２０が接触し、摩耗することを抑制することができる。また、ケース部２００と取付部材４２およびカバー部４２０が接触し、第２バンド部４０が脱離することを抑制することができる。
【００８１】
（ベルト部４４）
図７（ａ）および図７（ｂ）に示すベルト部４４は、機器本体２を被検体の手首等に密着して装着するため伸縮性を有する。ベルト部４４は、ポリウレタン樹脂またはシリコーン樹脂を含む材料を用いることで、その材料の有する特性によって、伸縮性および可撓性を有している。
ベルト部４４は、第２バンド部４０が機器本体２から延出する方向（第１の方向で図７（ａ）に示すＹ２方向）と交差する方向（第２の方向で図７（ａ）に示すＸ方向）の断面（図７（ａ）に示す線分Ｆ−Ｆ’における断面）において、幅４０Ｗ方向の中央部分の厚み（図７（ｂ）に示すＺ方向）が増して設けられている。ベルト部４４は、幅４０ｗ方向における中央部分の厚みが増して設けられていることで、伸縮時の強度および屈曲時の強度を確保している。
【００８２】
ベルト部４４には、第１バンド部３０に設けられた突棒３１４が挿通される穴部４３０が設けられている。穴部４３０は、幅４０Ｗ方向（第２の方向で図７に示すＸ方向）に並列に、かつベルト部４４が延伸する方向（第１の方向で図７に示すＹ方向）に行を成し整列して設けられている。穴部４３０の行間隔は、ほぼ一定となるように配設しても良いし、他端から機器本体２への方向、つまりＹ１方向に進むにつれて、行間隔が短くなるように配設してもよい。換言すれば、Ｙ２方向側の穴部４３０の最終行とその隣接する行との間隔（第１のピッチ）に比べ、Ｙ１方向の最終行とその隣接する行との間隔（第２のピッチ）の方が狭くなるように配設されている。このように構成することで、測定機器１の装着部位が細い人に対しても、細かく締め付けを調節することができるので、適切な強さで測定機器１を固定することが容易になる。
【００８３】
穴部４３０は図７（ｂ）に示すように、ベルト部４４の表面４４ａ側に設けられた穴４３１と、ベルト部４４の裏面４４ｂ側に設けられた穴４３２が同軸に設けられている。
穴部４３０は図７（ｂ）に示すように、ベルト部４４の幅４０Ｗ方向（Ｘ方向）を長軸（長径）とし、直交する機器本体２から第１バンド部３０が延出する方向（Ｙ方向）を短軸（短径）とする楕円形状を有する。穴部４３０の長軸および直交する短軸は、穴４３１と比して穴４３２の方が長く（大きく）設けられている。
なお、穴４３１，４３２の有する楕円形状は、前述した連結部３１０に設けられている突棒３１４の断面形状に即したものであり、その形状に合わせて適宜変更しても良い。穴４３１，４３２は、楕円形状を有することで容易に変形することができ、突棒３１４の挿通が簡便にできる。なお、変形後の復元力にも優れている。
【００８４】
ベルト部４４は図７（ａ）に示すように、並列に設けられた穴部４３０の間に符号ｍが付されている。符号ｍは、機器本体２から第２バンド部４０が延出する方向（図７（ａ）に示すＹ２方向）に向かって順を成して付されている。符号ｍは、例えば数字の場合、機器本体２側（図７（ａ）に示すＹ１側）から順に「１，２，３，…１７」と付されている。また、アルファベットの場合、機器本体２側から順に「ａ，ｂ，ｃ…」と付すことができる。アルファベットを用いた場合には、数字を用いた場合と比して、同じ文字の大きさで多くの穴部４３０の順列を示すことができる。すなわち、アルファベット２５文字に相当する数の穴部４３０の順列を１文字で文字の大きさを保って示すことができる。符号ｍの字体は、穴部４３０の順番を示すことができれば特に限定されない。
ベルト部４４に符号ｍが付されていることで、測定機器１を手首等に繰り返し装着する際に、第１バンド部３０と第２バンド部４０とを連結させるため突棒３１４を挿通する最適な位置を容易に識別することができ、装着毎に最適な突棒３１４を挿通する穴部４３０の位置を模索することなく測定機器１を装着することができる。また、符号ｍは、並列に設けられた穴部４３０の間に付されているため、新たにスペース（領域）を設けることなく第２バンド部４０に付すことができる。
【００８５】
また、ベルト部４４には図７（ａ）に示すように、後述するフック部４１０の基部４１２が嵌合される凹部４００ｃと、基部４１２から延出されたピン４１４が挿入される穴部４４０と、が設けられている。
凹部４００ｃは、ベルト部表面４４ａに基部４１２の外周縁に沿った凹形状を有する。また、凹部４００ｃの深さ４００ｄは、基部４１２の厚み４１２ｔと略同じ寸法として設けられている。
【００８６】
穴部４４０は図７（ａ）に示すように、幅４０Ｗ方向（Ｘ方向）に並列に、基部４１２から延出されているピン４１４と同軸に設けられている。穴部４４０は、ベルト部４４の表面４０ａ側で凹部４００ｃの底部に設けられた穴（不図示）と、ベルト部４４の裏面４４ｂに設けられた穴（不図示）と、が同軸に設けられている。
【００８７】
（フック部４１０）
図１ないし図３、または図７に示すようにフック部４１０は、ベルト部４４の他端側（図１ないし図３、または図７に示すＹ２方向）に設けられている。
図７（ｃ）に示すようにフック部４１０には、基部４１２と、基部４１２から延出しているピン４１４が設けられている。ピン４１４は、第１軸部４１６と、第２軸部４１８と、を含み構成されている。フック部４１０は、第１バンド部３０に設けられている穴部３３０にピン４１４を挿入することで、連結部３１０に挿通された第２バンド部４０を第１バンド部３０に係止する部材である。
【００８８】
フック部４１０には、ベルト部３４の幅３０Ｗの方向（図１ないし図３に示すＸ方向）に並列に設けられている穴部３３０の間隔に合わせて複数のピン４１４が設けられている。
ピン４１４は、第２バンド部４０に設けられた穴部４４０、および第１バンド部３０に設けられた楕円形状を有する穴部３３０に挿入されるため、断面形状は楕円形状を有する。ピン４１４は、ベルト部３４の幅３０Ｗ方向（ベルト部４４の幅４０Ｗ方向）を長軸（長径）とし、直交する機器本体２から第２バンド部４０が延出する方向（Ｙ方向）を短軸（短径）とする楕円形状に形成されている。
【００８９】
フック部４１０には、基部４１２からピン４１４を構成する第１軸部４１６が突出する様に設けられている。また、第１軸部４１６の一端（図７に示すＺ２方向で、第１軸部４１６が延出する基部４１２とは反対側の一端）には、第２軸部４１８が設けられている。
【００９０】
第１軸部４１６には、第１頭部４１７が設けられている。第１頭部４１７は、第１軸部４１６が延出する基部４１２とは反対側（図７に示すＺ２方向）に設けられている。第１頭部４１７には、第２軸部４１８が設けられる側（図７に示すＺ２方向）の外周縁に曲面４１７ｒを有する。
第１頭部４１７の径は、第１軸部４１６の径と比べて大きく設けられている。また、第１頭部４１７の径は、穴４４１の径と比べて大きく、穴４４２の径と比べて小さく設けられている。
【００９１】
また、第２軸部４１８には、第２頭部４１９が設けられている。第２頭部４１９は、第２軸部４１８が延出する第１軸部４１６とは反対側（図７に示すＺ２方向）に設けられている。第２頭部４１９は、第１軸部４１６が設けられている側とは反対側（図７に示すＺ２方向）の外周縁に曲面４１９ｒを有する。
第２頭部４１９の径は、第２軸部４１８の径と比べて大きく設けられている。
また、第１頭部４１７の径は、先端部３１８が挿入される穴部３３０に設けられた穴３３１の径と比べて大きく、穴３３２の径と比べて小さく設けられている。
【００９２】
ここで基部４１２の厚み（ピン４１４が延出する方向で、図７に示すＺ方向の厚み）と、ピン４１４の長さ（ピン４１４が延出する方向で、図７に示すＺ方向の長さ）は、穴部４４０および穴３３１（穴部３３０）の深さによって決定される。
本実施形態の基部４１２の厚み４１２ｔは、凹部４００ｃの深さと略等しい。第１軸部４１６の軸部分の長さ４１６Ｌは、穴４４１の深さ（長さ）と略等しい。第１軸部４１６の第１頭部４１７の長さ（厚み）４１７Ｌは、穴４４２の深さ（長さ）と略等しい。第２軸部４１８の軸部部分の長さ４１８Ｌは、穴３３１の深さ（長さ）と略等しい。第２軸部４１８の第２頭部４１９の長さ（厚み）４１９Ｌは、穴３３２の深さ（長さ）と略等しい。
【００９３】
フック部４１０は、ベルト部４４の表面４４ａに設けられている凹部４１０ｃにフックベース４１２が嵌合される。さらに、フック部４１０は、ベルト部４４の幅４０Ｗ方向に並列に設けられた穴部４４０に、フックベース４１２から延出するピン４１４が挿入されることでベルト部４４に設けられる。フック部４１０は、ベルト部４４に設けられた際に、第２軸部４１８がベルト部４４の裏面４４ｂから突出する様に設けられている。第２軸部４１８は、ベルト部４４から突出されていることで、第１バンド部３０（ベルト部３４）に設けられている穴部３３０に挿入することができる。
【００９４】
これにより、穴４４１に挿通された第１軸部４１６は、穴４４１に第１頭部４１７が引っかかり、ベルト部４４からフック部４１０が脱離することを抑制することができる。
より詳しくは、第１頭部４１７に設けられた曲面４１７ｒによって、第１軸部４１６を穴４４１に挿通する際に生じる接触抵抗を低減することができる。なお、基部４１２側の第１頭部４１７には、曲面４１７ｒが設けられていないため、第１軸部４１６を穴４４１から引き抜く際は挿通時より大きな力が必要となる。よって、フック部４１０がベルト部４４から脱離することを抑制することができる。
【００９５】
また、穴部３３０に挿入された第２軸部４１８は、第２頭部４１９が第１バンド部３０に設けられている穴３３１に引っかかり、第１バンド部３０に第２バンド部４０を係止することができる。また、第１バンド部３０に係止された第２バンド部４０が脱離することを抑制することができる。
より詳しくは、第２頭部４１９に設けられた曲面４１９ｒによって、第２軸部４１８を穴３３１に挿入する際に生じる接触抵抗を低減することができる。なお、第１軸部４１６側の第２頭部４１９には、曲面４１９ｒが設けられていないため、第２軸部４１８を穴３３１から引き抜く際は挿入時より大きな力が必要となる。よって、第１バンド部３０に係止された第２バンド部４０が脱離することを抑制することができる。
【００９６】
（カバー部４２０）
第２接続部としてのカバー部４２０は、ベルト部４４の一端側（図７（ａ）に示すＹ１方向）に設けられている。カバー部４２０には、係止穴４２０ｈが設けられている。
カバー部４２０は、取付部材４２を介して第２バンド部４０を機器本体２に接続するために設けられている。カバー部４２０の幅４２０Ｗと、機器本体２の幅２Ｗと、は略等しい幅を有している（図１参照）。
より詳しくは、機器本体２から第２バンド部４０が延出する方向（図１ないし図３または図６に示すＹ１方向）と交差する方向（図１ないし図３、または図７に示すＸ方向）において、カバー部４２０の幅４２０Ｗと、機器本体２の幅２Ｗと、が略等しい幅を有している。また、カバー部４２０は、平行四辺形状に形成されている表示窓２００ａの下底２００ｆに沿って斜辺となる端部４２０ｆを備えた形状に形成されている（図３参照）。これにより、機器本体２と第２バンド部４０とが視覚的に一体に形成されているように視認することができ、装着による圧迫感を緩和することができる。また、幅方向（Ｘ方向）において第２バンド部４０から機器本体２が突出していないため、装着時に装着者の衣服が機器本体２に引っかかることを抑制することができる。
【００９７】
上述した実施形態によれば、以下の効果を得ることができる。
この様な測定機器１によれば、機器本体２およびバンド３は斜め継ぎによって接続されている。斜め継ぎで機器本体２とバンド３とが接続されるため、機器本体２とバンド３の幅を連続的に変化させることができる。よって、機器本体２を小さく見せることができ、長時間の着用による視覚的な圧迫感を抑制（緩和）することができる。したがって、測定機器が装着された被検体の生体情報に影響を与えることを抑制し、精度の高い生体情報を得ることができる測定機器１を実現することができる。また、測定機器１の形状が連続的に滑らかに変化することで、被験体が機器本体２を腕などに装着して活動しているときでも、衣類の袖に機器本体２が引っ掛かることを抑制することができる。さらに、機器本体２を小さく見せることができることで、長時間の着用による視覚的な圧迫感を抑制（緩和）することができ、より長い期間にわたって生体情報を測定することができる。被検体の生体情報を長期間に渡って測定しつづけることで、被検体は自身の状態をより正確に把握することが容易になる。
【００９８】
なお、本実施形態において、生体情報を測定する機能を有する例を説明したがこれに限定されることなく、種々の情報を収集および表示する携帯型電子情報機器として実施することが可能である。機器本体２を構成するモジュール２０の構成を異ならせることで、例えばナビゲーション装置や、通信機器として適用することができる。
【符号の説明】
【００９９】
１…測定機器、２…機器本体、２Ｗ…機器本体の幅、３…バンド部、２０…モジュール、３０…第１バンド部、３２…取付部材、３４…ベルト部、４０…第２バンド部、４２…取付部材、４４…ベルト部、２００…ケース部、２００ａ…表示窓、２００ｂ…凹部、２００ｅ…上底、２００ｆ…下底、２０２…表示部カバー、２０２ｅ…上底、２０２ｆ…下底、２０３，２０４…ラグ、２１０…蓋部、２１２…センサー土手部、２１４…センサー凸部、２１４ａ…基部、２１４ｂ…先端部、２２０…表示部、２２２…表示パネル、２２４…バックライト、２４０…処理部、２５０…操作部、２５２…操作ボタン、２５２ａ…操作ボタン、２５２ｂ…操作ボタン、２６０…電源部、２６２…電池、２６４…充電端子、２６６…通信端子、２８０…センサー部、２８２…センサーユニット、３１０…連結部、３１２…突棒、３１２…バンド挿通穴、３１４…突棒、３２０…カバー部、３２０Ｗ…第１バンド部の幅、３３０…穴部、３４５…肉厚部、４１０…フック部、４２０…カバー部、４２０Ｗ…第２バンド部の幅、４３０…穴部、４４０…穴部。
【図１】
2015073824.tif 000003
【図２】
2015073824.tif 000004
【図３】
2015073824.tif 000005
【図４】
2015073824.tif 000006
【図５】
2015073824.tif 000007
【図６】
2015073824.tif 000008
【図７】
2015073824.tif 000009